(57)【要約】【課題】ロービング集積物の段ずれなどを防止する一方、ロービング集積物の梱包作業の手間を減らし、梱包コストを削減できる、ロービング集積物梱包体および梱包部材を提供する。【解決手段】上面保護板４は、ロービング集積物３の上面と略同一の矩形板状からなる天板部４１と、天板部４１周囲の各側縁部から外側へ向かって延出し、前記側縁部に沿って折曲可能に形成される第一・第二耳片部４２・４３とを有し、隣り合う第一・第二耳片部４２・４３において、第二耳片部４３における第一耳片部４２側の端部には、第二耳片部４３における前記側縁部に沿った方向へ延長する延出端部４３ａが形成され、第一・第二耳片部４２・４３は、天板部４１に対して同一方向側に曲折され、第二耳片部４３の延出端部４３ａが、ロービング集積物３の周囲に沿って密着して湾曲され、第一耳片部４２と固定される。【選択図】図１
2014240302.tif 000002
【特許請求の範囲】
【請求項１】
基台と、
該基台上において、複行複列に配列された複数個のロービングからなるロービング群を複数段に段積みすることにより構成されるロービング集積物と、
該ロービング集積物の上面に載置される上面保護板と、
を備えるロービング集積物梱包体であって、
前記上面保護板は、
前記ロービング集積物の上面と略同一形状の矩形板状に形成される天板部と、
前記天板部の周囲の各側縁部から外側へ向かって延出し、前記側縁部に沿って各々折曲可能に形成される複数の帯状の耳片部と、
を有し、
互いに隣り合う耳片部において、
一方の耳片部における他方の耳片部側の端部には、前記一方の耳片部における前記側縁部に沿った方向へ延長する延出端部が形成され、
前記一方の耳片部、および前記他方の耳片部は、前記天板部に対して各々同一方向側に曲折され、
前記一方の耳片部の延長された延出端部が、前記ロービング集積物の周囲に沿って密着するように湾曲され、前記他方の耳片部と固定される、
ことを特徴とするロービング集積物梱包体。
【請求項２】
前記上面保護板における、
前記一方の耳片部の延長された延出端部は、
前記他方の耳片部との固定箇所において、
重ね代を有する程度の長さをもって形成される、
ことを特徴とする、請求項１に記載のロービング集積物梱包体。
【請求項３】
前記上面保護板における、
前記天板部の四隅は、
ロービング集積物の平面視四隅に配置される、各々のロービングの外周面に沿った円弧状に形成される、
ことを特徴とする、請求項１または請求項２に記載のロービング集積物梱包体。
【請求項４】
前記各耳片部には、
それぞれ、前記耳片部における前記側縁部に沿った方向の一方側に、前記延出端部が形成されている、
ことを特徴とする、請求項１〜請求項３の何れか一項に記載のロービング集積物梱包体。
【請求項５】
前記上面保護板は、
前記ロービング集積物を構成する、全てのロービング群の上面に各々載置される、
ことを特徴とする、請求項１〜請求項４の何れか一項に記載のロービング集積物梱包体。
【請求項６】
前記ロービング集積物の周囲には、ストレッチフィルムが巻着される、
ことを特徴とする、請求項１〜請求項５の何れか一項に記載のロービング集積物梱包体。
【請求項７】
被梱包物の形態を保持する梱包部材であって、
被梱包物の上面と略同一形状の矩形板状に形成される天板部と、
前記天板部の周囲の各側縁部から外側へ向かって延出し、前記側縁部に沿って各々折曲可能に形成される複数の帯状の耳片部と、
を有し、
互いに隣り合う耳片部において、
一方の耳片部における他方の耳片部側の端部には、前記一方の耳片部における前記側縁部に沿った方向へ延長する延出端部が形成され、
前記一方の耳片部、および前記他方の耳片部は、前記天板部に対して各々同一方向側に曲折され、
前記一方の耳片部の延長された延出端部が、前記被梱包物の周囲に沿って密着するように湾曲され、前記他方の耳片部と固定される、
ことを特徴とする梱包部材。
【発明の詳細な説明】
【技術分野】
【０００１】
本発明は、例えば、複数のガラス繊維巻糸体（以下、「ロービング」と記載する）からなる被梱包物を備えるロービング集積物梱包体、および該被梱包物の形態を保持するための梱包部材に関し、より詳しくは、所定個数のロービングを安定した形態に集積しつつ梱包することが可能であり、複数のロービングの運搬に適したロービング集積物梱包体および梱包部材の技術に関する。
【背景技術】
【０００２】
従来から、例えば、複数のロービングからなる被梱包物を集積しつつ梱包する、ロービング集積物梱包体が知られている。
前記ロービング集積物梱包体は、主に以下の手順に従って構築される。
先ず始めに、物流用のパレット（荷役台）上において、所定個数のロービングが複行複列に配列され、且つ複数段に段積みされて、ロービング集積物が構成される。
次に、構成されたロービング集積物の周囲に、ポリエチレン樹脂等からなるストレッチフィルムが被覆され、該ロービング集積物は、該ストレッチフィルムによって密着包装されることとなり、ロービング集積物梱包体が構築される。
【０００３】
ここで、従来のロービング集積物梱包体においては、各ロービングの段ずれや潰れ等を防止するための手段として、例えば、ロービング集積物の角部に支柱を配置し、且つ該ロービング集積物の上面に上蓋を載置する技術が開示されている（例えば、「特許文献１」および「特許文献２」を参照）。
しかし、前記「特許文献１」および「特許文献２」における技術では、支柱や上蓋など、ロービング集積物の形態を保持するための梱包部材の点数が多く、該ロービング集積物を梱包するのに手間がかかり、梱包コストが嵩むという欠点があった。
そこで、このような欠点を克服し、より簡易、且つロービングの保護に適した梱包を実現するための手段として、周囲四辺に折り曲げ可能な耳片部を有しつつ四隅が切り欠かれた、上面保護板からなる梱包部材を用いて、ロービング集積物の上部周辺を保護する技術が開示されている（例えば、「特許文献３」を参照）。
【先行技術文献】
【特許文献】
【０００４】
【特許文献１】実公昭５７−１８３０２号公報
【特許文献２】実公昭５７−１８３０３号公報
【特許文献３】特開平８−２５４９号公報
【発明の概要】
【発明が解決しようとする課題】
【０００５】
前記「特許文献３」の技術によれば、ロービング集積物の梱包作業にかかる手間が減り、梱包コストを削減することができる。
しかし、その一方で、前記「特許文献３」における上面保護板の四隅は切り欠かれており、ロービング集積物の四隅に位置する各ロービングにおいては、前記切欠のために十分に保護されず、輸送中に外層が損傷する場合があった。
また、前記「特許文献３」における上面保護板においては、単に耳片部を折り曲げるだけの構造からなるため、上面保護板のみによってロービング集積物の形態を保持することは困難であり、該ロービング集積物にストレッチフィルムを被覆する際には、拘束バンドなどを用いて前記上面保護板の耳片部を折り曲げた状態で仮止めし、前記ロービング集積物の上部の周囲を拘束する必要があった。
従って、前記「特許文献３」によって示される従来のロービング集積物梱包体においては、梱包コストの削減を図るうえで、未だ改善の余地が残されていた。
【０００６】
本発明は、以上に示した現状の問題点を鑑みてなされたものであり、ロービング集積物の段ずれや潰れや外層の損傷などを防止するとともに、該ロービング集積物の梱包作業の手間を減らし、梱包コストを削減することが可能なロービング集積物梱包体および梱包部材を提供することを課題とする。
【課題を解決するための手段】
【０００７】
本発明の解決しようとする課題は以上の如くであり、次にこの課題を解決するための手段を説明する。
【０００８】
請求項１に係る発明は、基台と、該基台上において、複行複列に配列された複数個のロービングからなるロービング群を複数段に段積みすることにより構成されるロービング集積物と、該ロービング集積物の上面に載置される上面保護板と、を備えるロービング集積物梱包体であって、前記上面保護板は、前記ロービング集積物の上面と略同一形状の矩形板状に形成される天板部と、前記天板部の周囲の各側縁部から外側へ向かって延出し、前記側縁部に沿って各々折曲可能に形成される複数の帯状の耳片部と、を有し、互いに隣り合う耳片部において、一方の耳片部における他方の耳片部側の端部には、前記一方の耳片部における前記側縁部に沿った方向へ延長する延出端部が形成され、前記一方の耳片部、および前記他方の耳片部は、前記天板部に対して各々同一方向側に曲折され、前記一方の耳片部の延長された延出端部が、前記ロービング集積物の周囲に沿って密着するように湾曲され、前記他方の耳片部と固定される、ことを特徴とするロービング集積物梱包体に関する。
【０００９】
請求項２に係る発明は、前記上面保護板における、前記一方の耳片部の延長された延出端部は、前記他方の耳片部との固定箇所において、重ね代を有する程度の長さをもって形成される、ことを特徴とする、ロービング集積物梱包体に関する。
【００１０】
請求項３に係る発明は、前記上面保護板における、前記天板部の四隅は、ロービング集積物の平面視四隅に配置される、各々のロービングの外周面に沿った円弧状に形成される、ことを特徴とするロービング集積物梱包体に関する。
【００１１】
請求項４に係る発明は、前記各耳片部には、それぞれ、前記耳片部における前記側縁部に沿った方向の一方側に、前記延出端部が形成されている、ことを特徴とするロービング集積物梱包体に関する。
【００１２】
請求項５に係る発明は、前記上面保護板は、前記ロービング集積物を構成する、全てのロービング群の上面に各々載置される、ことを特徴とするロービング集積物梱包体に関する。
【００１３】
請求項６に係る発明は、前記ロービング集積物の周囲には、ストレッチフィルムが巻着される、ことを特徴とするロービング集積物梱包体に関する。
【００１４】
請求項７に係る発明は、被梱包物の形態を保持する梱包部材であって、被梱包物の上面と略同一形状の矩形板状に形成される天板部と、前記天板部の周囲の各側縁部から外側へ向かって延出し、前記側縁部に沿って各々折曲可能に形成される複数の帯状の耳片部と、を有し、互いに隣り合う耳片部において、一方の耳片部における他方の耳片部側の端部には、前記一方の耳片部における前記側縁部に沿った方向へ延長する延出端部が形成され、前記一方の耳片部、および前記他方の耳片部は、前記天板部に対して各々同一方向側に曲折され、前記一方の耳片部の延長された延長端部が、前記被梱包物の周囲に沿って密着するように湾曲され、前記他方の耳片部と固定される、ことを特徴とする梱包部材に関する。
【発明の効果】
【００１５】
本発明の効果として、以下に示すような効果を奏する。
【００１６】
請求項１に記載された発明によれば、ロービング集積物の段ずれや潰れや外層の損傷などを防止するとともに、該ロービング集積物の梱包作業の手間を減らし、梱包コストを削減することができる。
即ち、本発明におけるロービング集積物梱包体によれば、互いに隣り合う耳片部の内、一方の耳片部の延長された延出端部が、ロービング集積物の周囲に沿って密着するように湾曲され、他方の耳片部の短縮された端部と固定されることから、ロービング集積物の上部の周囲を堅固に結束することが可能となり、ロービング集積物の段ずれなどを効果的に防止することができる。
また、これらの耳片部を含む上面保護板によって、ロービング集積物の上部の周囲、および上面を確実に保護することが可能となり、輸送時の接触による各ロービングの外層部の糸切れや潰れなどによる損傷を効果的に防止することができる。
さらに、本発明におけるロービング集積物梱包体によれば、互いに隣り合う耳片部の端部同士が予め固定された上面保護板を用いることから、拘束バンドなどを用いて上面保護板の耳片部を仮止めし、ロービング集積物の上部の周囲を拘束する必要もなく、梱包資材が削減されることから、該ロービング集積物の梱包作業にかかる手間を減らし、梱包コストを削減することができる。
【００１７】
請求項２に記載された発明によれば、例えば、ロービング集積物の上部の周長に寸法誤差が発生しても、「重ね代」を調整しながら、一方の耳片部、および他方の耳片部の折り曲げ位置を、各々適宜変更することができる。
従って、ロービング集積物の上部の周囲において、これらの一方の耳片部、および他方の耳片部を容易に密着させることが可能であり、より確実にロービング集積物の周囲を結束することができる。
【００１８】
請求項３に記載された発明によれば、ロービング集積物の周囲にストレッチフィルムが巻着される際、天板部の隅部によって、該ストレッチフィルムの巻き締め作用を、受圧させることが可能となる。
従って、ロービング集積物の平面視四隅に配置されるロービングに対する、ストレッチフィルムへの過剰な巻き締め作用を緩和させることが可能となり、これらの前記ロービングの潰れを効果的に防止することができる。
【００１９】
請求項４に記載された発明によれば、上面保護板に備えられる複数の耳片部が、天板部の周囲の各側縁部に沿いつつ、該周囲を廻る一方側に向かって各々延出するようにして配設されることとなる。
従って、ロービング集積物の周囲にストレッチフィルムを巻着する際の巻き方向を、これらの耳片部の延出する方向に合わせることで、より堅固に上面保護板を固定することができる。
【００２０】
請求項５に記載された発明によれば、ロービング集積物の形態をより堅固に保持することができる。
【００２１】
請求項６に記載された発明によれば、ストレッチフィルムの巻き締め作用によって、ロービング集積物の形態をより堅固に保持することができる。
【００２２】
請求項７に記載された発明によれば、被梱包物の段ずれや潰れや外層の損傷などを防止するとともに、該被梱包物の梱包作業の手間を減らし、梱包コストを削減することが可能な梱包部材を提供することができる。
【図面の簡単な説明】
【００２３】
【図１】本発明の一実施形態におけるロービング集積物梱包体の全体的な構成を示した斜視図。
【図２】本実施形態におけるロービング集積物梱包体の構成要素を示した分解図。
【図３】本実施形態におけるロービング集積梱包体に備えられる、上面保護板の形状を示した展開図。
【図４】別実施形態における上面保護板の形状を示した展開図。
【図５】他の別実施形態における上面保護板の形状を示した展開図。
【発明を実施するための形態】
【００２４】
次に、発明の実施の形態を説明する。
【００２５】
［ロービング集積物梱包体１］
先ず、本発明を具現化するロービング集積物梱包体１の全体構成について、図１および図２を用いて説明する。
なお、以下の説明に関しては便宜上、図１および図２の上下方向をロービング集積物梱包体１の上下方向と規定して記述する。
また、図１および図２においては、矢印Ａの方向を前方と規定して記述する。
【００２６】
本実施形態におけるロービング集積物梱包体１は、複数のガラス繊維巻糸体（以下、「ロービング」と記載）を安定した形態に集積しつつ梱包したものであって、図１に示すように、主に、基台２やロービング集積物３や上面保護板４やストレッチフィルム５などにより構成される。
【００２７】
基台２は、ロービング集積物梱包体１の基部となるものである。
基台２は、例えば、木材、金属、合成樹脂、またはＦＲＰ（強化プラスチック）など、適宜選択される最適材料からなり、フォークリフトの運搬用の爪を挿入可能なパレット（荷役台）として構成される。
【００２８】
なお、基台２の構成については、本実施形態のものに限定されず、例えば、後述するロービング集積物３を載置するのに十分な面積を有し、且つ該ロービング集積物３を堅固に支持できる剛性を備えるものであれば、何れのような構成であってもよい。
【００２９】
次に、ロービング集積物３について説明する。
ロービング集積物３は、複数個のロービング３１ａ・３１ａ・・・により構成される。
ここで、ロービング３１ａは、例えば、繊維径が数［μｍ］〜数十［μｍ］であるガラス繊維のモノフィラメントを数百本集束させてストランドを形成し、該ストランドを引き揃えて円筒状に巻き取ることにより形成される。
【００３０】
そして、基台２上において、複数個のロービング３１ａ・３１ａ・・・が複行複列（例えば、本実施形態においては、四行四列）に配列され、ロービング群３１が構成される。
また、複数の前記ロービング群３１・３１・・・が、さらに複数段（例えば、本実施形態においては、四段）に段積みされ、ロービング集積物３が構成される。
【００３１】
次に、上面保護板４について説明する。
上面保護板４は、被梱包物であるロービング集積物３の形態を保持するための梱包部材である。
上面保護板４は、一方の面が開口された箱形状に構成され、後述するように、ロービング集積物３の上面（即ち、各ロービング群３１・３１・・・の上面）と略同一形状からなる天板部４１や、該天板部４１の縁部に沿って立設または下垂される一対の第一耳片部４２・４２、および一対の第二耳片部４３・４３などにより構成される。
【００３２】
そして、上面保護板４は、本実施形態においては、各ロービング群３１・３１・・・の上面に被着するようにして載置される。また、上面保護板４は、最下層のロービング群３１・３１・・・の下部を覆うように配置されている。
これにより、各ロービング群３１・３１・・・の周囲は、第一耳片部４２および第二耳片部４３によって結束され、各ロービング群３１・３１・・・の形態が堅固に保持されることとなる。その結果、前記ロービング集積物３の形態が全体的に堅固に保持される。
【００３３】
次に、ストレッチフィルム５について説明する。
ストレッチフィルム５は、基台２上に段積みされた複数のロービング群３１・３１・・・にて構成されるロービング集積物３を全体的に保持するためのものである。
ストレッチフィルム５は、ポリエチレン製のフィルム素材により構成される。但し、ストレッチフィルム５の材質については、これに限定されることはなく、例えば、塩化ビニルなどのような他の材質からなるフィルム素材を用いてもよい。
【００３４】
そして、ストレッチフィルム５は、基台２上において複数段に段積みされたロービング群３１・３１・・・の周囲に巻着される。
これにより、前記複数のロービング群３１・３１・・・は、ストレッチフィルム５を介して互いに保持し合うこととなり、これらのロービング群３１・３１・・・によって構成されるロービング集積物３の形態が、堅固に保持されるのである。
【００３５】
ところで、ロービング集積物３の周囲にストレッチフィルム５を巻着する際は、例えば、ストレッチフィルム５に一定の張力を加えつつ、ロービング集積物３の各部に対して一様に、ストレッチフィルム５を被覆させていくのが一般的である。
【００３６】
ここで、ロービング集積物３の周囲にストレッチフィルム５を巻着する際の巻付け力が強すぎると、ロービング集積物３を構成するロービング３１ａに潰れが発生し易くなり、また前記巻付け力が弱すぎると、ロービング集積物３を構成するロービング群３１に段ずれが発生し易くなる傾向が見られる。
このような傾向を踏まえた上で、ストレッチフィルム５の巻着条件は、ロービング集積物３におけるロービング群３１・３１・・・の段数や、各ロービング群３１におけるロービング３１ａ・３１ａ・・・の配置個数や、各ロービング３１ａの物理的性質などを考慮しつつ、ロービング集積物３に段ずれや潰れなどが発生しないように適宜設定される。
【００３７】
以上のような構成からなるロービング集積物梱包体１は、以下の手順に従って構築される。
先ず始めに、図２に示すように、基台２の上面に上面保護板４（以下、必要に応じて「第一上面保護板４Ａ」と記載）を載置する。
この際、第一上面保護板４Ａは、天板部４１を下方に向けつつ、上方に開口するようにして載置される。
【００３８】
基台２の上面に第一上面保護板４Ａを載置した後、該第一上面保護板４Ａの内部に所定個数のロービング３１ａ・３１ａ・・・を複行複列（例えば、本実施形態においては、四行四列）に配列し、ロービング群３１（以下、必要に応じて「第一ロービング群３１Ａ」と記載）を構成する。
これにより、第一ロービング群３１Ａの下部の周囲は、第一上面保護板４Ａの第一耳片部４２および第二耳片部４３によって結束されることとなり、前記第一ロービング群３１Ａの形態が保持される。
【００３９】
第一上面保護板４Ａ内にて第一ロービング群３１Ａが構成された後、該第一ロービング群３１Ａの上面に、上面保護板４（以下、必要に応じて「第二上面保護板４Ｂ」と記載）を被着する。
これにより、第一ロービング群３１Ａの上部の周囲は、第二上面保護板４Ｂの第一耳片部４２および第二耳片部４３によって結束されることとなり、前記第一ロービング群３１Ａの形態が、さらに堅固に保持される。
【００４０】
第一ロービング群３１Ａの上面に第二上面保護板４Ｂを被着した後、該第二上面保護板４Ｂの上面にて所定個数のロービング３１ａ・３１ａ・・・を複行複列に配列し、ロービング群３１（以下、必要に応じて「第二ロービング群３１Ｂ」と記載）を構成する。
【００４１】
第二上面保護板４Ｂ上にて第二ロービング群３１Ｂが構成された後、該第二ロービング群３１Ｂの上面に、上面保護板４（以下、必要に応じて「第三上面保護板４Ｃ」と記載）を被着する。
これにより、第二ロービング群３１Ｂの上部の周囲は、第三上面保護板４Ｃの第一耳片部４２および第二耳片部４３によって結束されることとなり、前記第二ロービング群３１Ｂの形態が保持される。
【００４２】
第二ロービング群３１Ｂの上面に第三上面保護板４Ｃを被着した後、該第三上面保護板４Ｃの上面にロービング群３１をさらに構成し、その後、該ロービング群３１の上面に上面保護板４を被着する。
こうして、基台２上におけるロービング群３１・３１・・・の段数が、所定の段数（例えば、本実施形態においては四段）に到達するまで、ロービング群３１の構成、および該ロービング群３１への上面保護板４の被着を繰り返し行って、ロービング集積物３を構築する。
【００４３】
そして、基台２上にてロービング集積物３を構築した後に、該ロービング集積物３の周囲にストレッチフィルム５を巻着する。
これにより、ロービング集積物３は、基台２上に堅固に保持され、ロービング集積物梱包体１の構築が完了する。
【００４４】
このように、本実施形態におけるロービング集積物梱包体１においては、ロービング集積物３を構成する全てのロービング群３１・３１・・・の上面に、上面保護板４・４・・・が各々載置されており、ロービング集積物３の形態をより堅固に保持可能な構成となっている。
【００４５】
なお、上面保護板４の配置については、本実施形態の構成に限定されるものではなく、例えば、作業効率や経済性などを考慮して、ロービング集積物３の上面、即ち最上段のロービング群３１の上面のみに配置することとしてもよい。
この場合、最上段のロービング群３１の形態が上面保護板４によって直接的に保持され、さらに、上面保護板４によって最上段のロービング群３１の形態が保持されることにより、最上段のロービング群３１が所望の位置に配置される、最上段のロービング群３１よりも下方のロービング群３１の形態が間接的に保持されることとなり、ひいてはロービング集積物３の形態が全体的に保持されることとなる。
【００４６】
［上面保護板４］
次に、上面保護板４の構成について、図３を用いて詳述する。
なお、以下の説明に関しては便宜上、図３の矢印Ａの方向を前方と規定して記述する。
【００４７】
上面保護板４は、例えば段ボールなどの板紙によって一体的に形成され、主に天板部４１や、一対の第一耳片部４２・４２や、一対の第二耳片部４３・４３などにより構成される。
なお、上面保護板４の材質については、これに限定されるものではなく、例えば、熱可塑性樹脂等で構成される板状樹脂部材を用いてもよい。
【００４８】
天板部４１は、上面保護板４の基部となる部位である。
天板部４１は、ロービング集積物３を構成する各ロービング群３１（図２を参照）の上面と略同一形状の矩形板状に形成される。
【００４９】
そして、天板部４１の四隅（以下、「隅部４１ａ」と記載）は、ロービング群３１の平面視四隅に位置する、各々のロービング３１ａ・３１ａ・・・の外周面に沿った円弧状に形成される。
【００５０】
このように、本実施形態においては、天板部４１の各隅部４１ａが、ロービング３１ａ・３１ａ・・・の外周面に沿った円弧状に形成されているため、前述したように、ロービング集積物３の周囲にストレッチフィルム５が巻着される際、前記隅部４１ａに、ストレッチフィルム５の巻き締め力を、受圧させることが可能となり、天板部４１の各隅部が折れ曲がり、折れ曲がり箇所に過度の圧力が加わることがない。
従って、ロービング集積物３の平面視四隅に配置されるロービング３１ａ・３１ａ・・・へのストレッチフィルム５の巻き締めの作用を、緩和させることが可能となり、これらの前記ロービング３１ａ・３１ａ・・・の潰れを防止することができる。
【００５１】
次に、第一耳片部４２について説明する。
第一耳片部４２は、後述する第二耳片部４３とともに、ロービング群３１の周囲を結束するための部位である。
第一耳片部４２は、天板部４１の前後両側の各側縁部４１ｂからそれぞれ外側（前方向および後方向）へ向かって延出する帯状に形成される。
【００５２】
第一耳片部４２の外側への延出寸法は、天板部４１の前後両側の各側縁部４１ｂの長さよりも小さく形成されており、天板部４１の前後両側の各側縁部４１ｂに沿った方向が第一耳片部４２の長手方向となっている。
また、第一耳片部４２・４２は、天板部４１の前後両側の側縁部４１ｂ・４１ｂに沿って折り曲げ可能に構成されている。
【００５３】
なお、天板部４１の前後両側の側縁部４１ｂ・４１ｂは、それぞれ天板部４１の前後両側における左端から右端までの外周縁部のうち、左右の隅部４１ａの部分を除いた直線部のことをいう。
また、第一耳片部４２の長手方向の寸法は、天板部４１の隅部４１ａ・４１ａ・・・を除く、前側（矢印Ａの方向側）の側縁部４１ｂの寸法（図３における「寸法Ｚ１」）、または後側（矢印Ａとの対向方向側）の側縁部４１ｂの寸法（図３における「寸法Ｚ２」）と、同程度に設定されている。
【００５４】
そして、第一耳片部４２・４２は、天板部４１の前後両側の側縁部４１ｂ・４１ｂに沿って各々配置されるようにして、該天板部４１と一体的に形成される。
換言すると、第一耳片部４２・４２は、それぞれ天板部４１の前後両側の側縁部４１ｂ・４１ｂに沿って形成され、天板部４１の前後両側の側縁部４１ｂ・４１ｂから外側（前側および後側）へ向かって所定寸法だけ突出する帯状の耳片部であり、その長手方向寸法は、天板部４１の左右寸法（図３における上下方向の寸法）に対して、天板部４１の左右両端の隅部４１ａ・４１ａの分だけ短縮された寸法とされている。
また、第一耳片部４２・４２における、天板部４１の前後両側の側縁部４１ｂ・４１ｂからの外側（前側および後側）への突出寸法（第一耳片部４２・４２の短手方向の寸法）は、ロービング３１ａの軸方向寸法よりも小さく構成されており、例えばロービング３１ａの軸方向寸法の半分程度から３分の１程度までの寸法に構成されている。
【００５５】
なお、後述するように、これらの第一耳片部４２・４２は、側縁部４１ｂ・４１ｂに沿って折曲げられ、上面保護板４が箱形状に構築される際には、これらの第一耳片部４２・４２が、天板部４１に対して同一方向側に折り込まれる。
よって、このような第一耳片部４２の折り込み作業を容易にするために、天板部４１と第一耳片部４２・４２との接続箇所である、該天板部４１の前後両側の側縁部４１ｂ・４１ｂに沿って、折目を予め形成しておくことが好ましい。
【００５６】
次に、第二耳片部４３について説明する。
第二耳片部４３は、前述した第一耳片部４２とともに、ロービング群３１の周囲を結束するための部位である。
第二耳片部４３は、天板部４１の左右両側の各側縁部４１ｃからそれぞれ外側（左方向および右方向）に延出する帯状に形成される。
【００５７】
第二耳片部４３の外側への延出寸法は、天板部４１の左右両側の各側縁部４１ｃの長さよりも小さく形成されており、天板部４１の左右両側の各側縁部４１ｃに沿った方向が第一耳片部４２の長手方向となっている。
また、第二耳片部４３・４３は、天板部４１の左右両側の側縁部４１ｃ・４１ｃに沿って折り曲げ可能に構成されている。
【００５８】
なお、天板部４１の左右両側の側縁部４１ｃ・４１ｃは、それぞれ天板部４１の左右両側における前端から後端までの外周縁部のうち、前後の隅部４１ａの部分を除いた直線部のことをいう。
また、第二耳片部４３の長手方向の寸法は、天板部４１の右側（矢印Ａとの直交方向の一方側）の側縁部４１ｃの寸法（図３における「寸法Ｚ３」）、または左側（矢印Ａとの直交方向の他方側）の側縁部４１ｃの寸法（図３における「寸法Ｚ４」）に比べて、十分長くなるように設定されている。
さらに、第二耳片部４３の幅方向（短手方向）の寸法は、第一耳片部４２の幅方向（短手方向）の寸法と、同程度となるように設定されている。
【００５９】
そして、第二耳片部４３・４３は、自身の長手方向の中央部において、天板部４１の左右両側の側縁部４１ｃ・４１ｃに沿って各々配置されるようにして、該天板部４１と一体的に形成される。
これにより、各第二耳片部４３の長手方向の両端部（以下、「延出端部４３ａ・４３ａ」と記載）は、天板部４１の右側または左側の側縁部４１ｃの延出方向に向かって延出される。
換言すると、各第二耳片部４３・４３は、それぞれ天板部４１の左右両側の側縁部４１ｃ・４１ｃに沿って形成され、天板部４１の左右両側の側縁部４１ｃ・４１ｃから外側（左側および右側）へ向かって所定寸法だけ突出する帯状の耳片部であり、その長手方向における両端部は、第二耳片部４３・４３の長手方向寸法が、天板部４１の前後寸法（図３における左右方向の寸法）よりも長くなるように、第二耳片部４３・４３の長手方向（天板部４１の左右両側の側縁部４１ｃ・４１ｃに沿った方向）に沿って延長されている。
つまり、各第二耳片部４３・４３は、その長手方向の寸法が天板部４１の左右両側の側縁部４１ｃ・４１ｃの寸法（図３における「寸法Ｚ３、Ｚ４」）に形成される本体部と、前記本体部から前後方向に所定寸法（図３における「寸法Ｘ１」）だけ延出する延出端部４３ａ・４３ａとを有している。
【００６０】
ここで、第二耳片部４３の各延出端部４３ａにおける長手方向の寸法（図３における「寸法Ｘ１」）は、天板部４１の各隅部４１ａ（より具体的には、各延出端部４３ａの最も近傍に位置する隅部４１ａ）における円弧の長さ寸法（図３における「寸法Ｙ１」）に比べて、長くなるように設定されている（Ｘ１＞Ｙ１）。
【００６１】
なお、後述するように、これらの第二耳片部４３・４３は、側縁部４１ｃ・４１ｃに沿って折曲げられ、上面保護板４が箱形状に構築される際には、これらの第二耳片部４３・４３が、前記第一耳片部４２・４２とともに、天板部４１に対して同一方向側に折り込まれる。
よって、このような第二耳片部４３の折り込み作業を容易にするために、天板部４１と第二耳片部４３との接続箇所である、該天板部４１の左右両側の側縁部４１ｃ・４１ｃに沿って、折目を予め形成しておくことが好ましい。
【００６２】
また、同様に、上面保護板４が箱形状に構築される際には、第二耳片部４３の各延出端部４３ａが、天板部４１の隅部４１ａの円弧に沿って湾曲される。
よって、このような延出端部４３ａの湾曲作業を容易にするために、該延出端部４３ａの平面上には、幅方向に延出する複数の折目４３ｂ・４３ｂ・・・を、予め平行に形成しておくことが好ましい。
【００６３】
このように、本実施形態における上面保護板４は、天板部４１の周囲の各側縁部４１ｃ（または４１ｂ）から外側へ向かって延出し、前記側縁部４１ｃ（または４１ｂ）に沿って各々折曲可能に形成される複数の帯状の耳片部（より具体的には、第一耳片部４２・４２または第二耳片部４３・４３）を有し、互いに隣り合う第一耳片部４２および第二耳片部４３において、第二耳片部（一方の耳片部）４３における第一耳片部（他方の耳片部）４２側の端部には、前記第二耳片部（一方の耳片部）４３における前記側縁部４１ｃに沿った方向へ延長する延出端部４３ａが形成されている。
【００６４】
そして、このような構成からなる上面保護板４は、以下の手順に従って箱形状に構築される。
先ず始めに、基台２上に載置されたロービング群３１の上面に上面保護板４を載置し、載置した上面保護板４の第一耳片部（他方の耳片部）４２・４２および第二耳片部（一方の耳片部）４３・４３を、側縁部４１ｂ・４１ｂおよび側縁部４１ｃ・４１ｃに沿って、天板部４１に対して同一方向側（下側）に折り込む。
これにより、第一耳片部４２・４２および第二耳片部４３・４３が、天板部４１の前後両側および左右両側の側縁部４１ｂ・４１ｂ・４１ｃ・４１ｃに沿って、各々下垂される。
【００６５】
天板部４１に対して、第一耳片部４２・４２および第二耳片部４３・４３をそれぞれ折り曲げて下垂した後、各第二耳片部（一方の耳片部）４３の延出端部（延長された端部）４３ａ・４３ａを、ロービング群３１の上部における隅部の周囲、換言すると天板部４１の隅部４１ａ・４１ａ・・・に沿って密着するように各々湾曲させる。
この際、前述したように、第二耳片部４３の各延出端部４３ａの長さ寸法は、天板部４１の各隅部４１ａの円弧の長さ寸法に比べて長いため、延出端部４３ａの先端部が隅部４１ａより幾分かはみ出すこととなる。
【００６６】
そして、第二耳片部４３の各延出端部４３ａにおいて、天板部４１の各隅部４１ａよりはみ出した領域（以下、「重ね代」と記載）については、前記延出端部４３ａと隣り合う第一耳片部４２の端部の裏面（第一耳片部４２の折り込まれた方向側の面）に重ね合わせる。
【００６７】
なお、前記「重ね代」の調整については、各ロービング３１ａの外周面に実際に沿わせつつ、第二耳片部４３の各延出端部４３ａを湾曲させながら行うことが好ましい。
【００６８】
こうして、第一耳片部４２の端部に第二耳片部４３の「重ね代」が重ね合わされた状態において、これらの第一耳片部４２および第二耳片部４３の重ね合わせ箇所を、粘着テープなどによって堅固に固定する。これにより、上面保護板４が箱形状に構築される。
【００６９】
このように、本実施形態における上面保護板４においては、第二耳片部（一方の耳片部）４３の延出端部（延長された端部）４３ａが、前記第一耳片部（他方の耳片部）の端部との重ね合わせ箇所（固定箇所）において、「重ね代」を有する程度の十分な長さをもって形成される。
よって、例えば、ロービング集積物３の上部の周長に寸法誤差が発生しても、前記「重ね代」を調整しながら、第一耳片部４２・４２および第二耳片部４３・４３の折り曲げ位置を、各々適宜変更することができる。
従って、ロービング集積物３の上部の周囲に、第一耳片部４２・４２および第二耳片部４３・４３を容易に密着させることが可能であり、より確実にロービング群３１の周囲を結束することができるのである。
【００７０】
なお、ロービング集積物３の下端部に配置される上面保護板４（即ち、基台２上に直接載置され、最下段のロービング群３１の下部を結束する上面保護板４）を箱形状に構築する際には、基台２上に載置した上面保護板４上にロービング群３１を配置したうえで、第一耳片部４２・４２および第二耳片部４３・４３を上方に折り曲げて直立させ、折り曲げた第一耳片部４２および第二耳片部４３の重ね合わせ箇所を、粘着テープなどによって固定することにより、上面保護板４を箱形状に構築することができる。
【００７１】
［上面保護板１０４］
次に、別実施形態における上面保護板１０４の構成について、図４を用いて詳述する。
なお、以下の説明に関しては便宜上、図４の矢印Ａの方向を前方と規定して記述する。
【００７２】
別実施形態における上面保護板１０４は、前述した上面保護板４と略同等な構成を有する一方、第一耳片部１４２および第二耳片部１４３の構成について、前記上面保護板４と相違する。
よって、以下の説明においては、主に上面保護板４との相異点について記載し、該上面保護板４との同等な構成についての記述は省略する。
【００７３】
第一耳片部１４２は、後述する第二耳片部１４３とともに、ロービング群３１（図２を参照）の周囲を結束するための部位である。
第一耳片部１４２は、天板部１４１の前後両側の各側縁部１４１ｂからそれぞれ外側（前方向および後方向）一方に延出する帯状に形成される。
【００７４】
第一耳片部１４２の外側への延出寸法は、天板部１４１の前後両側の各側縁部１４１ｂの長さよりも小さく形成されており、天板部１４１の前後両側の各側縁部１４１ｂに沿った方向が第一耳片部１４２の長手方向となっている。
また、第一耳片部１４２・１４２は、天板部１４１の前後両側の側縁部１４１ｂ・１４１ｂに沿って折り曲げ可能に構成されている。
【００７５】
なお、天板部１４１の前後両側の側縁部１４１ｂ・１４１ｂは、それぞれ天板部１４１の前後両側における左端から右端までの外周縁部のうち、左右の隅部１４１ａの部分を除いた直線部のことをいう。
また、第一耳片部１４２の長手方向の寸法は、天板部１４１の前側（矢印Ａの方向側）の側縁部１４１ｂの寸法（図４における「寸法Ｚ１１」）、または後側（矢印Ａとの対向方向側）の側縁部１４１ｂの寸法（図４における「寸法Ｚ１２」）に比べて、十分長くなるように設定されている。
【００７６】
そして、第一耳片部１４２・１４２は、天板部１４１の前後両側の側縁部１４１ｂ・１４１ｂに沿って各々配置されるようにして、該天板部１４１と一体的に形成される。
この際、天板部１４１の前側の第一耳片部１４２（以下、必要に応じて「前側第一耳片部１４２Ａ」と記載）において、その長手方向の一方側（本実施形態においては、右側）の端部（以下、「延出端部１４２ａ」と記載）は、前記天板部１４１の前側の側縁部１４１ｂの延出方向の一方側（本実施形態においては、右側）に向かって延出される。
換言すると、前側第一耳片部１４２Ａは、天板部１４１の前側の側縁部１４１ｂに沿って形成され、天板部１４１の前側の側縁部１４１ｂから外側（前側）へ向かって所定寸法だけ突出する帯状の耳片部であり、その長手方向における右側端部が、前側の側縁部１４１ｂの範囲（図４における寸法Ｚ１１の範囲）よりも右方へ延長されている。
【００７７】
また、天板部１４１の後側の第一耳片部１４２（以下、必要に応じて、「後側第一耳片部１４２Ｂ」と記載）において、その長手方向の他方側（本実施形態においては、左側）の延出端部１４２ａは、前記天板部１４１の後側の側縁部１４１ｂの延出方向の他方側（本実施形態においては、左側）に向かって延出される。
換言すると、後側第一耳片部１４２Ｂは、天板部１４１の後側の側縁部１４１ｂに沿って形成され、天板部１４１の後側の側縁部１４１ｂから外側（後側）へ向かって所定寸法だけ突出する帯状の耳片部であり、その長手方向における左側端部が、後側の側縁部１４１ｂの範囲（図４における寸法Ｚ１２の範囲）よりも左方へ延長されている。
【００７８】
一方、第二耳片部１４３は、前述した第一耳片部１４２とともに、ロービング群３１の周囲を結束するための部位である。
第二次片部１４３は、前記第一耳片部１４２と同様に、天板部１４１の左右両側の各側縁部１４１ｃからそれぞれ外側（左方向および右方向）に延出する帯状に形成される。
【００７９】
第二次片部１４３の外側への延出寸法は、天板部１４１の左右両側の各側縁部１４１ｃの長さよりも小さく形成されており、天板部１４１の左右両側の各側縁部１４１ｃに沿った方向が第二次片部１４３の長手方向となっている。
また、第二次片部１４３・１４３は、天板部１４１の左右両側の側縁部１４１ｃ・１４１ｃに沿って折り曲げ可能に構成されている。
【００８０】
なお、天板部１４１の左右両側の側縁部１４１ｃ・１４１ｃは、それぞれ天板部１４１の左右両側における前端から左端までの外周縁部のうち、前後の隅部１４１ａの部分を除いた直線部のことをいう。
また、第二耳片部１４３の長手方向の寸法は、天板部１４１の右側（矢印Ａとの直交方向の一方側）の側縁部１４１ｃの寸法（図４における「寸法Ｚ１３」）、または左側（矢印Ａと直交方向の他方側）の側縁部１４１ｃの寸法（図４における「寸法Ｚ１４」）に比べて、十分長くなるように設定されている。
【００８１】
そして、第二耳片部１４３・１４３は、天板部１４１の左右両側の側縁部１４１ｃ・１４１ｃに沿って各々配置されるようにして、該天板部１４１と一体的に形成される。
この際、天板部１４１の右側の第二耳片部１４３（以下、必要に応じて「右側第二耳片部１４３Ａ」と記載）において、その長手方向の一方側（本実施形態においては、後側）の端部（以下、「延出端部１４３ａ」と記載）は、前記天板部１４１の右側の側縁部１４１ｃの延出方向の一方側（本実施形態においては、後側）に向かって延出される。
換言すると、右側第二耳片部１４３Ａは、天板部１４１の右側の側縁部１４１ｃに沿って形成され、天板部１４１の右側の側縁部１４１ｃから外側（右側）へ向かって所定寸法だけ突出する帯状の耳片部であり、その長手方向における後側端部が、右側の側縁部１４１ｃの範囲（図４における寸法Ｚ１３の範囲）よりも後方へ延長されている。
【００８２】
また、天板部１４１の左側の第二耳片部１４３（以下、必要に応じて「左側第二耳片部１４３Ｂ」と記載）において、その長手方向の他方側（本実施形態においては、前側）の延出端部１４３ａは、前記天板部１４１の左側の側縁部１４１ｃの他方側（本実施形態においては、前側）に向かって延出される。
換言すると、左側第二耳片部１４３Ｂは、天板部１４１の左側の側縁部１４１ｃに沿って形成され、天板部１４１の左側の側縁部１４１ｃから外側（左側）へ向かって所定寸法だけ突出する帯状の耳片部であり、その長手方向における前側端部が、左側の側縁部１４１ｃの範囲（図４における寸法Ｚ１４の範囲）よりも前方へ延長されている。
【００８３】
以上のように、別実施形態における上面保護板１０４は、天板部１４１の周囲の各側縁部１４１ｃ（または１４１ｂ）から外側へ向かって延出し、前記側縁部１４１ｃ（または１４１ｂ）に沿って各々折曲可能に形成される複数の帯状の耳片部（より具体的には、第一耳片部１４２および第二耳片部１４３）を有し、互いに隣り合う第一耳片部１４２および第二耳片部１４３において、例えば、右側第二耳片部（一方の耳片部）１４３Ａにおける一方側である後側第一耳片部（他方の耳片部）１４２Ｂ側の端部に、該右側第二耳片部（一方の耳片部）１４３Ａの長手方向に沿って延長する延出端部１４３ａが形成されている。
また、前側第一耳片部（一方の耳片部）１４２Ａにおける一方側である右側第二耳片部（一方の耳片部）１４３Ａ側の端部に、前側第一耳片部（一方の耳片部）１４２Ａの長手方向に沿って延長する延出端部１４２ａが形成されている。
さらに、左側第二耳片部（一方の耳片部）１４３Ｂにおける一方側である前側第一耳片部（他方の耳片部）１４２Ａ側の端部に、左側第二耳片部（一方の耳片部）１４３Ｂの長手方向に沿って延長する延出端部１４３ａが形成されている。
また、後側第一耳片部（一方の耳片部）１４２Ｂにおける一方側である左側第二耳片部（他方の耳片部）１４３Ｂ側の端部に、後側第一耳片部（一方の耳片部）１４２Ｂの長手方向に沿って延長する延出端部１４２ａが形成されている。
【００８４】
即ち、別実施形態における上面保護板１０４においては、第一耳片部１４２の延出端部１４２ａ、および第二耳片部１４３の延出端部１４３ａの何れもが、天板部１４１の各側縁部１４１ｃ（または１４１ｂ）の延出方向に向かって延出される。
そして、第一耳片部１４２の延出端部１４２ａは、該延出端部１４２ａに近設される第二耳片部１４３における、該第二耳片部１４３の延出端部１４３ａとは反対側の端部に隣接して位置するように配設される。
また、第二耳片部１４３の延出端部１４３ａは、該延出端部１４３ａに近設される第一耳片部１４２における、該第一耳片部１４２の延出端部１４２ａとは反対側の端部に隣接して位置するように配設される。
【００８５】
換言すると、これらの第一耳片部１４２・１４２の延出端部１４２ａ・１４２ａおよび第二耳片部１４３・１４３の延出端部１４３ａ・１４３ａは、それぞれ第一耳片部１４２・１４２および第二耳片部１４３・１４３から、天板部１４１の周囲の各側縁部１４１ｂ・１４１ｂ・１４１ｃ・１４１ｃに沿いつつ、該周囲を廻る一方側（図４においては、時計回り方向側）に向かって各々延出するようにして配設される。
【００８６】
そして、このような構成からなる上面保護板１０４は、以下の手順に従って箱形状に構築される。
先ず始めに、基台２上に載置されたロービング群３１の上面に上面保護板１０４を載置し、載置した上面保護板１０４の第一耳片部（他方の耳片部）１４２・１４２および第二耳片部（一方の耳片部）１４３・１４３を、側縁部１４１ｂ・１４１ｂおよび１４１ｃ・１４１ｃに沿って天板部１４１に対して同一方向側（下側）に折り込む。
これにより、第一耳片部１４２・１４２および第二耳片部１４３・１４３が、天板部１４１の前後両側および左右両側の側縁部１４１ｂ・１４１ｂ・１４１ｃ・１４１ｃに沿って、各々下垂される。
【００８７】
天板部１４１に対して、第一耳片部１４２・１４２および第二耳片部１４３・１４３をそれぞれ折り曲げて下垂した後、各第一耳片部（他方の耳片部）１４２および各第二耳片部（一方の耳片部）１４３の延出端部（延長された端部）１４２ａ・１４３ａを、ロービング群３１の上部における隅部の周囲、換言すると天板部１４１の隅部１４１ａ・１４１ａ・・・に沿って密着するように各々湾曲させる。
この際、第一耳片部１４２および第二耳片部１４３の各延出端部１４２ａ・１４３ａの長さ寸法は、天板部１４１の各隅部１４１ａの円弧の長さ寸法に比べて長いため、延出端部１４２ａ・１４３ａの先端部が隅部１４１ａより幾分かはみ出すこととなる。
【００８８】
そして、前側第一耳片部１４２Ａの延出端部１４２ａにおいて、天板部１４１の隅部１４１ａよりはみ出した領域（以下、「第一の重ね代」と記載）については、前記延出端部１４２ａと隣り合う右側第二耳片部１４３Ａの端部の裏面（右側第二耳片部１４３Ａの折り込まれた方向側の面）に重ね合わせる。
また、前記右側第二耳片部１４３Ａの延出端部１４３ａにおいて、天板部１４１の隅部１４１ａよりはみ出した領域（以下、「第二の重ね代」と記載）については、前記延出端部１４３ａと隣り合う後側第一耳片部１４２Ｂの端部の裏面（後側第一耳片部１４２Ｂの折り込まれた方向側の面）に重ね合わせる。
また、前記後側第一耳片部１４２Ｂの延出端部１４２ａにおいて、天板部１４１の隅部１４１ａよりはみ出した領域（以下、「第三の重ね代」と記載）については、前記延出端部１４２ａと隣り合う左側第二耳片部１４３Ｂの端部の裏面（左側第二耳片部１４３Ｂの折り込まれた方向側の面）に重ね合わせる。
さらに、前記左側第二耳片部１４３Ｂの延出端部１４３ａにおいて、天板部１４１の隅部１４１ａよりはみ出した領域（以下、「第四の重ね代」と記載）については、前記延出端部１４３ａと隣り合う前側第一耳片部１４２Ａの端部の裏面（前側第一耳片部１４２Ａの折り込まれた方向側の面）に重ね合わせる。
【００８９】
なお、前記「第一乃至第四の重ね代」の調整については、各ロービング３１ａの外周面に実際に沿わせつつ、第一耳片部１４２の延出端部１４２ａ、および第二耳片部１４３の延出端部１４３ａをそれぞれ湾曲させながら行うことが好ましい。
この際、本実施形態における上面保護板１０４であれば、全ての延出端部１４２ａ・１４２ａ・１４３ａ・１４３ａに対して、各ロービング３１ａの外周面に沿わせる際の方向を同一方向（例えば、本実施形態においては、平面視時計回り方向）に統一することができるため、前記重ね代の調整作業も容易になる。
【００９０】
こうして、前側第一耳片部１４２Ａの端部に左側第二耳片部１４３Ｂの「第四の重ね代」が重ね合わされ、左側第二耳片部１４３Ｂの端部に後側第一耳片部１４２Ｂの「第三の重ね代」が重ね合わされ、後側第一耳片部１４２Ｂの端部に右側第二耳片部１４３Ａの「第二の重ね代」が重ね合わされ、右側第二耳片部１４３Ａの端部に前側第一耳片部１４２Ａの「第一の重ね代」が重ね合わされた状態において、これらの第一耳片部１４２Ａ・１４２Ｂおよび第二耳片部１４３Ａ・１４３Ｂの重ね合わせ箇所が、粘着テープなどによって堅固に固定する。
これにより、上面保護板１０４が箱形状に構築されるのである。
【００９１】
［上面保護板２０４］
次に、他の別実施形態における上面保護板２０４の構成について、図５を用いて詳述する。
なお、以下の説明に関しては便宜上、図５の矢印Ａの方向を前方と規定して記述する。
【００９２】
他の別実施形態における上面保護板２０４は、前述した上面保護板４と略同等な構成を有する一方、天板部２４１の構成について、前記上面保護板４と相違する。
よって、以下の説明においては、主に上面保護板４との相異点について記載し、該上面保護板４との同等な構成についての記述は省略する。
【００９３】
天板部２４１は、上面保護板２０４の基部となる部位である。
天板部２４１は、ロービング集積物３を構成する各ロービング群３１（図２を参照）の上面形状と略同一な、矩形板状に形成される。
【００９４】
ここで、他の別実施形態における天板部２４１の四隅（隅部２４１ａ・２４１ａ・・・）については、前述した上面保護板４の天板部４１に見られる隅部４１ａ・４１ａ・・・ように円弧状に加工されることはなく、直角形状となっている。
よって、本実施形態における上面保護板２０４によれば、天板部２４１の四隅（隅部２４１ａ・２４１ａ・・・）を円弧状に加工する際の工数を省くことができるため、前記上面保護板２０４の製造コストの低減化を図ることができる。
【００９５】
次に、第一耳片部２４２について説明する。
第一耳片部２４２は、後述する第二耳片部２４３とともに、ロービング群３１の周囲を結束するための部位である。
第一耳片部２４２は、天板部２４１の前後両側の各側縁部２４１ｂからそれぞれ外側（前方向および後方向）一方に延出する帯状に形成される。
【００９６】
第一耳片部２４２の外側への延出寸法は、天板部２４１の前後両側の各側縁部２４１ｂの長さよりも小さく形成されており、天板部２４１の前後両側の各側縁部２４１ｂに沿った方向が第一耳片部２４２の長手方向となっている。
また、第一耳片部２４２・２４２は、天板部２４１の前後両側の側縁部２４１ｂ・２４１ｂに沿って折り曲げ可能に構成されている。
【００９７】
なお、天板部２４１の前後両側の側縁部２４１ｂ・２４１ｂは、それぞれ天板部２４１の前後両側における左端から右端までの外周縁部のうち、左右の隅部２４１ａの部分を除いた直線部のことをいう。
また、第一耳片部２４２の長手方向の寸法は、ロービング群３１の平面視四隅の前側（矢印Ａの方向側）または後側（矢印Ａとの対向方向側）に位置する、二個のロービング３１ａ・３１ａ間の中心距離（図５における「寸法Ｚ２１」または「寸法Ｚ２２」）と、同程度となるように設定されている。
【００９８】
そして、第一耳片部２４２・２４２は、天板部２４１の前後両側の側縁部２４１ｂ・２４１ｂの中央部において、該側縁部２４１ｂ・２４１ｂに沿って各々配置されるようにして、前記天板部２４１と一体的に形成される。
換言すると、第一耳片部２４２・２４２は、それぞれ天板部２４１の前後両側の側縁部２４１ｂ・２４１ｂに沿って形成され、天板部２４１の前後両側の側縁部２４１ｂ・２４１ｂから外側（前側および後側）へ向かって所定寸法だけ突出する帯状の耳片部であり、その長手方向寸法は、天板部４１の左右寸法（図５における上下方向の寸法）に対して、天板部４１の左右両端の隅部２４１ａ・２４１ａの分だけ短縮された寸法とされている。
また、第一耳片部２４２・２４２における、天板部２４１の前後両側の側縁部２４１ｂ・２４１ｂからの外側への突出寸法は、第一耳片部４２・４２と同様である。
【００９９】
次に、第二耳片部２４３について説明する。
第二耳片部２４３は、前述した第一耳片部２４２とともに、ロービング群３１の周囲を結束するための部位である。
第二耳片部２４３は、天板部２４１の左右両側の各側縁部２４１ｃからそれぞれ外側（左方向および右方向）に延出する帯状に形成される。
【０１００】
第二耳片部２４３の外側への延出寸法は、天板部２４１の左右両側の各側縁部２４１ｃの長さよりも小さく形成されており、天板部２４１の左右両側の各側縁部２４１ｃに沿った方向が第一耳片部２４２の長手方向となっている。
また、第二耳片部２４３・２４３は、天板部２４１の左右両側の側縁部２４１ｃ・２４１ｃに沿って折り曲げ可能に構成されている。
【０１０１】
なお、天板部２４１の左右両側の側縁部２４１ｃ・２４１ｃは、それぞれ天板部２４１の左右両側における前端から後端までの外周縁部のうち、前後の隅部２４１ａの部分を除いた直線部のことをいう。
また、第二耳片部２４３の長手方向の寸法は、天板部２４１の右側（矢印Ａとの直交方向の一方側）の側縁部２４１ｃの寸法、または左側（矢印Ａとの直交方向の他方側）の側縁部２４１ｃの寸法に比べて、十分長くなるように設定されている。
【０１０２】
そして、第二耳片部２４３・２４３は、自身の長手方向の中央部において、天板部２４１の左右両側の側縁部２４１ｃ・２４１ｃに沿って各々配置されるようにして、該天板部２４１と一体的に形成される。
これにより、各第二耳片部２４３の長手方向の両端部（以下、「延出端部２４３ａ」と記載）は、天板部２４１の右側または左側の側縁部２４１ｃの延出方向に向かって延出される。
換言すると、各第二耳片部２４３・２４３は、それぞれ天板部２４１の左右両側の側縁部２４１ｃ・２４１ｃに沿って形成され、天板部２４１の左右両側の側縁部２４１ｃ・２４１ｃから外側（左側および右側）へ向かって所定寸法だけ突出する帯状の耳片部であり、その長手方向における両端部は、第二耳片部２４３・２４３の長手方向寸法が、天板部２４１の前後寸法（図５における左右方向の寸法）よりも長くなるように、第二耳片部２４３・２４３の長手方向（天板部２４１の左右両側の側縁部に沿った方向）に沿って延長されている。
つまり、各第二耳片部２４３・２４３は、その長手方向の寸法が天板部４１の左右両側の側縁部２４１ｃ・２４１ｃの寸法（図５における「寸法Ｚ２３、Ｚ２４」）に形成される本体部と、前記本体部から前後方向に所定寸法（図５における「寸法Ｘ２１」）だけ延出する延出端部２４３ａ・２４３ａとを有している。
【０１０３】
ここで、天板部２４１の左右両側の側縁部２４１ｃ・２４１ｃにおいて、第二耳片部２４３・２４３の延出端部２４３ａ・２４３ａと天板部２４１の隅部２４１ａ・２４１ａとの間には切込部が形成される。
これにより、天板部２４１と第二耳片部２４３との接続箇所である、該天板部２４１の左右両側の側縁部２４１ｃ・２４１ｃの長さ寸法は、ロービング群３１の前右側の隅部２４１ａおよび後右側の隅部２４１ａに位置する二個のロービング３１ａ・３１ａ間の中心距離（図５における「寸法Ｚ２３」）、またはロービング群３１の前左側の隅部２４１ａおよび後左側の隅部２４１ａに位置する二個のロービング３１ａ・３１ａ間の中心距離（図５における「寸法Ｚ２４」）同程度となっている。
また、第二耳片部２４３の各延出端部２４３ａにおける長手方向の寸法（図５における「寸法Ｘ２１」）は、ロービング群３１の平面視四隅に配置される、各ロービング３１ａの外周面の周長を四等分した長さ寸法（図５における「寸法Ｙ２１」）に比べて、十分長くなるように設定されている（Ｘ２１＞Ｙ２１）。
【０１０４】
このように、他の別実施形態における上面保護板２０４は、天板部２４１の周囲の各側縁部２４１ｃ（または２４１ｂ）から外側へ向かって延出し、前記側縁部２４１ｃ（または２４１ｂ）に沿って各々折曲可能に形成される複数の帯状の耳片部（より具体的には、第一耳片部２４２および第二耳片部２４３）を有し、互いに隣り合う第一耳片部２４２および第二耳片部２４３において、第二耳片部（一方の耳片部）２４３における第一耳片部（他方の耳片部）２４２側の端部には、前記第二耳片部（一方の耳片部）２４３における前記側縁部に沿った方向へ延長する延出端部２４３ａが形成されている。
【０１０５】
そして、このような構成からなる上面保護板２０４は、以下の手順に従って箱形状に構築される。
先ず始めに、基台２上に載置されたロービング群３１の上面に上面保護板２０４を載置し、載置した上面保護板２０４の第一耳片部（他方の耳片部）２４２・２４２および第二耳片部（一方の耳片部）２４３・２４３を、側縁部２４１ｂ・２４１ｂおよび側縁部２４１ｃ・２４１ｃに沿って、天板部２４１に対して同一方向側（下側）に折り込む。
これにより、第一耳片部２４２・２４２および第二耳片部２４３・２４３が、天板部２４１の前後両側および左右両側の側縁部２４１ｂ・２４１ｂ・２４１ｃ・２４１ｃに沿って、各々下垂される。
【０１０６】
天板部２４１に対して、第一耳片部２４２・２４２および第二耳片部２４３・２４３をそれぞれ折り曲げて下垂した後、各第二耳片部（一方の耳片部）２４３の延出端部（延長された端部）２４３ａ・２４３ａを、ロービング群３１の上部における隅部の周囲に沿って密着するように各々湾曲させる。
この際、前述したように、第二耳片部２４３の各延出端部２４３ａの長さ寸法は、前記各ロービング３１ａの外周面の周長を四等分した長さ寸法に比べて長いため、延出端部２４３ａの先端部が、四等分された各ロービング３１ａの外周面より幾分かはみ出すこととなる。
【０１０７】
そして、第二耳片部２４３の各延出端部２４３ａにおいて、四等分された各ロービング３１ａの外周面よりはみ出した領域（以下、「重ね代」と記載）については、前記延出端部２４３ａと隣り合う第一耳片部２４２の端部の裏面（第一耳片部２４２の折り込まれた方向側の面）に重ね合わせる。
【０１０８】
こうして、第一耳片部２４２の端部に第二耳片部２４３の「重ね代」が重ね合わされた状態において、これらの第一耳片部２４２および第二耳片部２４３の重ね合わせ箇所を、粘着テープなどによって堅固に固定する。
これにより、上面保護板２０４が箱形状に構築されるのである。
【符号の説明】
【０１０９】
１    ロービング集積物梱包体
２    基台
３    ロービング集積物
４    上面保護板
３１    ロービング群
３１ａ    ロービング
４１    天板部
４２    第一耳片部（他方の耳片部）
４３    第二耳片部（一方の耳片部）
４３ａ    延出端部
【図１】
2014240302.tif 000003
【図２】
2014240302.tif 000004
【図３】
2014240302.tif 000005
【図４】
2014240302.tif 000006
【図５】
2014240302.tif 000007